(57)【要約】【課題】把持筒の外断面形状を非円形にしても、把持筒を回転印本体に被套させた状態でロックさせることができる回転印を提供する。【解決手段】基部２２ａと、基部２２ａから下方に延出する脚部２２ｂから構成され、脚部２２ｂの下端に脚部２２ｂに幅寸法よりも大きい幅寸法の係止部が形成された係止部材２２を、操作部材の回動操作に連動して回動するように配設し、固定枠部材１６の上端に、脚部２２ｂは通過することができるが、前記係止部は通過することができない幅寸法の係止溝穴１６ｂを円弧状に形成するとともに、係止溝穴１６ｂの一端に、前記係止部が通過することができる幅寸法の通過溝穴１６ｃを形成する。係止部材２２の脚部２２ｂを固定枠部材１６の連通溝穴１６ｂに侵入させることにより、前記係止部が把持筒の固定枠部材１６に対する上方へのスライド動を阻止するように構成する。【選択図】図３
2010234602.tif 000002
【特許請求の範囲】
【請求項１】
回転可能に配設された回転子とその下端との間に、外表面に複数の印字が形成された無端印字ベルトを巻き掛けた回転印本体と、
前記回転印本体の外周に配設された固定枠部材と、
前記固定枠部材の外周に上下方向スライド可能に配設され、前記回転印本体及び固定枠部材を被套する把持筒とを有する回転印において、
前記把持筒の上端に、円弧状の連通溝穴を連通形成し、
前記把持筒の上端に、操作部材を回動可能に取り付け、
基部と、前記基部から下方に延出する脚部から構成され、前記脚部の下端に前記脚部に幅寸法よりも大きい幅寸法の係止部が形成され、前記基部には前記操作部材と係合する係合部が形成された係止部材を、前記脚部を前記把持筒の連通溝穴に挿通させるとともに前記係合部を前記操作部材に係合させて、前記操作部材の回動操作に連動して回動するように配設し、
前記固定枠部材の上端に、前記係止部材の脚部は通過することができるが、前記係止部材の係止部は通過することができない幅寸法の係止溝穴を円弧状に形成するとともに、前記係止溝穴の一端に、前記係止部材の係止部が通過することができる幅寸法の通過溝穴を形成し、
前記把持筒を下側にスライドさせて、前記係止部材の係止部を前記固定枠部材の通過溝穴に通過させ、前記操作部材を回動させて、前記係止部材の脚部を前記固定枠部材の係止溝穴に侵入させることにより、前記係止部が前記把持筒の前記固定枠部材に対する上方へのスライド動を阻止し、前記把持筒が前記回転印本体及び固定枠部材を被套した状態で係止されるように構成したことを特徴とする回転印。
【請求項２】
把持筒の上端に、外断面形状が円形状の係合部を形成し、
操作部材に、内断面形状が円形状の係合凹部を凹陥形成し、
前記係合凹部を前記係合部に係合させて、操作部材を把持筒の上端に回動可能に取り付けたことを特徴とする請求項１に記載の回転印。
【発明の詳細な説明】
【技術分野】
【０００１】
本発明は、日付等を切り替えて押印することができる回転印に関する。
【背景技術】
【０００２】
従来から、特許文献１に示されるように、複数の無端印字ベルトを有し、日付等を切り替えて押印することができるキャップ付回転印が知られている。このような回転印は、把持筒を回転させると、把持筒を上方にスライドさせることができ、無端印字ベルトを回転させて切り替えることができ、把持筒を下方にスライドさせて回転させると、把持筒が回転印本体を被套した状態でロックされて無端印字ベルトが露出されないため、不用意に無端印字ベルトが切り変わることがなく、また、収納時には無端印字ベルトが把持筒により被覆されて、服や文房具等が印字面で汚れることがない。
【先行技術文献】
【特許文献】
【０００３】
【特許文献１】特許第３７１２４６２号公報
【発明の概要】
【発明が解決しようとする課題】
【０００４】
しかしながら、特許文献１に示される回転印は、把持筒が円筒形状であるため、回転印を机等に置くと、回転印が転がってしまうという問題があった。もし、把持筒の外断面形状を四角形状等の非円形状にすると、回転印を机等に置いた場合に転がってしまうという問題を解決することはできるが、従来の構造では、把持筒を回転させることによりロックさせる構造を実現することができなかった。一方で、外断面形状が非円形の把持筒の内断面形状を円形状にすると、従来の構造であっても、把持筒を回転させることによりロックさせることができるが、把持筒が大きく、また、重くなってしまう。
本発明は、上記問題を解決し、把持筒の外断面形状を非円形にしても、把持筒を回転印本体に被套させた状態でロックさせることができる回転印を提供することを目的とする。
【課題を解決するための手段】
【０００５】
上記課題を解決するためになされた請求項１に記載の発明は、
回転可能に配設された回転子とその下端との間に、外表面に複数の印字が形成された無端印字ベルトを巻き掛けた回転印本体と、
前記回転印本体の外周に配設された固定枠部材と、
前記固定枠部材の外周に上下方向スライド可能に配設され、前記回転印本体及び固定枠部材を被套する把持筒とを有する回転印において、
前記把持筒の上端に、円弧状の連通溝穴を連通形成し、
前記把持筒の上端に、操作部材を回動可能に取り付け、
基部と、前記基部から下方に延出する脚部から構成され、前記脚部の下端に前記脚部に幅寸法よりも大きい幅寸法の係止部が形成され、前記基部には前記操作部材と係合する係合部が形成された係止部材を、前記脚部を前記把持筒の連通溝穴に挿通させるとともに前記係合部を前記操作部材に係合させて、前記操作部材の回動操作に連動して回動するように配設し、
前記固定枠部材の上端に、前記係止部材の脚部は通過することができるが、前記係止部材の係止部は通過することができない幅寸法の係止溝穴を円弧状に形成するとともに、前記係止溝穴の一端に、前記係止部材の係止部が通過することができる幅寸法の通過溝穴を形成し、
前記把持筒を下側にスライドさせて、前記係止部材の係止部を前記固定枠部材の通過溝穴に通過させ、前記操作部材を回動させて、前記係止部材の脚部を前記固定枠部材の係止溝穴に侵入させることにより、前記係止部が前記把持筒の前記固定枠部材に対する上方へのスライド動を阻止し、前記把持筒が前記回転印本体及び固定枠部材を被套した状態で係止されるように構成したことを特徴とする。
【０００６】
請求項２に記載の発明は、
把持筒の上端に、外断面形状が円形状の係合部を形成し、
操作部材に、内断面形状が円形状の係合凹部を凹陥形成し、
前記係合凹部を前記係合部に係合させて、操作部材を把持筒の上端に回動可能に取り付けたことを特徴とする。
【発明の効果】
【０００７】
請求項１に記載の発明は、回転可能に配設された回転子とその下端との間に、外表面に複数の印字が形成された無端印字ベルトを巻き掛けた回転印本体と、前記回転印本体の外周に配設された固定枠部材と、前記固定枠部材の外周に上下方向スライド可能に配設され、前記回転印本体及び固定枠部材を被套する把持筒とを有する回転印において、前記把持筒の上端に、円弧状の連通溝穴を連通形成し、前記把持筒の上端に、操作部材を回動可能に取り付け、基部と、前記基部から下方に延出する脚部から構成され、前記脚部の下端に前記脚部に幅寸法よりも大きい幅寸法の係止部が形成され、前記基部には前記操作部材と係合する係合部が形成された係止部材を、前記脚部を前記把持筒の連通溝穴に挿通させるとともに前記係合部を前記操作部材に係合させて、前記操作部材の回動操作に連動して回動するように配設し、前記固定枠部材の上端に、前記係止部材の脚部は通過することができるが、前記係止部材の係止部は通過することができない幅寸法の係止溝穴を円弧状に形成するとともに、前記係止溝穴の一端に、前記係止部材の係止部が通過することができる幅寸法の通過溝穴を形成し、前記把持筒を下側にスライドさせて、前記係止部材の係止部を前記固定枠部材の通過溝穴に通過させ、前記操作部材を回動させて、前記係止部材の脚部を前記固定枠部材の係止溝穴に侵入させることにより、前記係止部が前記把持筒の前記固定枠部材に対する上方へのスライド動を阻止し、前記把持筒が前記回転印本体及び固定枠部材を被套した状態で係止されるように構成したことを特徴とする。
このため、把持筒の外断面形状を非円形にしても、把持筒を回転印本体に被套させた状態でロックさせることが可能となる。
【０００８】
請求項２に記載の発明は、把持筒の上端に、外断面形状が円形状の係合部を形成し、操作部材に、内断面形状が円形状の係合凹部を凹陥形成し、前記係合凹部を前記係合部に係合させて、操作部材を把持筒の上端に回動可能に取り付けたことを特徴とする。
このため、把持筒に対して操作部材がぐらつかず、操作部材をスムーズに回動させることが可能となり、回転印の質感を向上させることが可能となる。
【図面の簡単な説明】
【０００９】
【図１】本発明の実施の形態を示す回転印の全体斜視図である。
【図２】図１の断面図である。
【図３】把持筒及び操作部材を除去した状態の回転印本体の斜視図である。
【図４】把持筒の斜視図である。
【図５】操作部材の斜視図である。
【図６】係止部材の斜視図である。
【図７】把持筒を上方に引き上げた状態の回転印の断面図である。
【発明を実施するための形態】
【００１０】
以下に図面を参照しつつ、本発明の好ましい実施の形態を示す。本発明の回転印５０は、回転印本体１０と、回転印本体１０の外周に配設された固定枠部材１６と、固定枠部材１６の下端に取り付けられた固定印支持部材２０、固定印支持部材２０の下端に取り付けられた固定印１９と、回転印本体１０及び固定枠部材１６を被套する把持筒１と、回転印本体１０の印字部及び固定印１９を被覆するキャップ３、把持筒１の上端に回動可能に取り付けられた操作部材２、把持筒１の固定枠部材１６に対する上方へのスライド動を阻止する係止部材２２とから構成されている。
【００１１】
回転印本体１０は、枠状部材１１、回転子１２、橋架片１３、軸部材１４、無端印字ベルト１５とから構成されている。枠状部材１１は、断面形状”コ”字形状で、下側に開放した形状である。枠状部材１１の内部に、複数の回転子１２が、同軸に軸着されている。回転子１２は、操作円盤１２ａと、この操作円盤１２ａよりも外径の小さい係合筒１２ｂが同軸に、一体となって形成されている。図に示される実施形態では、係合筒１２ｂに軸部材１４が挿通し、軸部材１４が枠状部材１１に取り付けられて、複数の回転子１２が枠状部材１１に回転可能に取り付けられている。枠状部材１１の下端には、断面形状”コ”字形状で、上側に開放した橋架片１３が取り付けられている。
【００１２】
それぞれの回転子１２の係合筒１２ｂ及び、橋架片１３の下端には、複数の無端印字ベルト１５が巻き掛けられている。無端印字ベルト１５の外表面には、長さ方向に沿って、所定の間隔をおいて、複数の印字ブロック１５ａが突設されている。印字ブロック１５ａの表面には、数字や文字等の印字が形成されている。印字ブロック１５ａの印字部分は、多孔質になっていて、微量のインキが吸蔵されるようになっている。無端印字ベルト１５の裏面と、回転子１２の係合筒１２ｂとは係合していて、ユーザーが、指等で操作円盤１２ａを回転させると、係合筒１２ｂと係合している無端印字ベルト１５も回転し、印字ブロック１５ａが切り替わるようになっている。
【００１３】
枠状部材１１の外周には、固定枠部材１６が、枠状部材１１に対して上下方向スライド可能に取り付けられている。固定枠部材１６の上端には上面１６ｄが形成されている。固定枠部材１６の下端には、固定印支持部材２０が取り付けられている。固定印支持部材２０の下端は、内側に膨出した固定印支持部２０ａが形成されている。固定印支持部２０ａには、固定印１９が取り付けられている。固定印支持部２０ａ及び固定印１９には、窓穴２０ｂ、１９ａが形成されていて、この窓穴２０ｂ、１９ａから、無端印字ベルト１５の下端にある印字ブロック１５ａが出没するようになっている。なお、固定枠部材１６と固定印支持部材２０を一体に形成しても差し支えない。
【００１４】
図３に示されるように、固定枠部材１６の上面１６ｄの中央には、連通穴１６ｅが形成されている。固定枠部材１６の上面１６ｄの連通穴１６ｅの周囲には、円弧状の係止溝穴１６ｂが連通形成されている。本実施形態では、２つの係止溝穴１６ｂが、固定枠部材１６の上面１６ｄに連通形成されている。係止溝穴１６ｂの一端には、係止溝穴１６ｂの幅寸法より大きい幅寸法の通過溝穴１６ｃが連通形成されている。
【００１５】
図４に示されるように、把持筒１は、外断面形状が角筒形状（非円形状）の把持部１ａと、把持部１ａの上端に形成された外断面形状が円形状の取付部１ｂとが一体となって構成されている。取付部１ｂの外縁は、把持部１ａの外縁よりも小さくなっている。把持部１ａの内縁形状は、固定枠部材１６の外縁形状に対応した形状となっている。図２や図４に示されるように、把持部１ａの内面には、上下方向に係合凹部１ｇが形成されている。なお、係合凹部１ｇは、把持部１ａの下端までは形成されていない。図２や図３に示されるように、固定枠部材１６の外周面には、係合突起１６ａが形成されている。把持筒１は、上下方向スライド可能に、固定枠部材１６に取り付けられ、把持筒１は固定枠部材１６及び回転印本体１０を被套するようになっている。図２や図７に示されるように、固定枠部材１６の係合突起１６ａは、把持筒１の係合凹部１ｇに係合している。このため、把持筒１が、固定枠部材１６から脱落しないようになっている。
【００１６】
図４に示されるように、把持筒１の取付部１ｂの外周面には、上下方向に侵入溝１ｃが凹陥形成されている。侵入溝１ｃの下端には、取付部１ｂの周方向に凹陥形成された回動溝１ｄが接続している。侵入溝１ｃの下端よりも上側には、係止突起１ｅが形成されている。
【００１７】
図４に示されるように、把持筒１の取付部１ｂの上面１ｋの中央には、操作穴１ｊが連通形成されている。取付部１ｂの上面１ｋには、操作穴１ｊに沿ってリング状に凹陥した嵌合溝１ｆが凹陥形成されている。嵌合溝１ｆには、円弧状の連通溝穴１ｈが連通形成されている。図に示される実施形態では、２つの連通溝穴１ｈが嵌合溝１ｆに連通形成されている。連通溝穴１ｈの一端には、連通溝穴１ｈの幅寸法より大きい幅寸法の通過溝穴１ｉが連通形成されている。取付部１ｂの上面１ｋに形成された連通溝穴１ｈ及び通過溝穴１ｉの位置は、それぞれ、固定枠部材１６の上面１６ｄに形成された係止溝穴１６ｂ及び通過溝穴１６ｃの位置と一致している。
【００１８】
図５に示されるように、操作部材２は、扁平な有底筒状であり、操作部材２の外断面形状は、把持筒１の把持部１ａと同様に、四角形状（非円形状）である。操作部材２には、内断面形状が円形状の係合凹部２ａが凹陥形成されている。係合凹部２ａの内径は、把持筒１の取付部１ｂの外径よりも僅かに大きくなっている。操作部材２の下端には、係合凹部２ａに突出する係合片２ｂが２つ形成されている。係合凹部２ａの底面には、複数（本実施形態では２つ）の係合突起２ｃが形成されている。図２や図７に示されるように、把持筒１の取付部１ｂと操作部材２の係合凹部２ａが係合して、操作部材２は、把持筒１の取付部１ｂに取り付けられている。操作部材２を、把持筒１の取付部１ｂに取り付けるには、操作部材２の係合片２ｂを、把持筒１の侵入溝１ｃに合わせて、操作部材２を下側に押し込む。すると、係合片２ｂが、侵入溝１ｃに形成された係止突起１ｅを乗り越えて、操作部材２が把持筒１の取付部１ｂに回動可能に取り付けられる。操作部材２の係合片２ｂが係止突起１ｅで係止されるので、操作部材２が把持筒１の取付部１ｂから脱落しない。操作部材２の係合片２ｂは、回動溝１ｄに侵入することができるので、操作部材２、把持筒１に対して所定角度回動させることができる。
【００１９】
図６に示されるように、係止部材２２は、リング状の基部２２ａと、基部２２ａから垂直（下方）に延出する２つの脚部２２ｂとが一体となって構成されている。図２に示されるように、係止部材２２の基部２２ａは、把持筒１の嵌合溝１ｆに嵌合し、係止部材２２は、把持筒１に対して回動可能に取り付けられている。脚部２２ｂは円弧形状に屈曲された板状である。脚部２２ｂの下端には、脚部２２ｂの幅寸法（係止部材２の回動方向と直交する方向の幅）よりも大きい幅寸法の係止部２２ｃが形成されている。本実施形態では、係止部２２ｃは、脚部２２ｂの下端から外側に突出している。基部２２ａの上面には、係合凹部２２ｄ（係合部）が凹陥形成されている。
【００２０】
係止部２２ｃの幅寸法は、把持筒１の通過溝穴１ｉ及び固定枠部材１６の通過溝穴１６ｃの幅寸法よりも小さく、係止部２２ｃは、通過溝穴１ｉ及び通過溝穴１６ｃを通過することができる。一方で、係止部２２ｃの幅寸法は、把持筒１の連通溝穴１ｈ及び固定枠部材１６の係止溝穴１６ｂの幅寸法よりも大きく、係止部２２ｃは、連通溝穴１ｈ及び係止溝穴１６ｂを通過できない。また、係止部材２２の脚部２２ｂの幅寸法は、把持筒１の連通溝穴１ｈ及び固定枠部材１６の係止溝穴１６ｂの幅寸法よりも小さい。係止部材２２は、脚部２２ｂが取付部１ｂの連通溝穴１ｈに侵入し、基部２２ａが取付部１ｂの嵌合溝１ｆに嵌合した状態で、取付部１ｂに取り付けられている。係止部材２２の脚部２２ｂは、取付部１ｂの連通溝穴１ｈ及び通過溝穴１ｉ内に挿通し、係止部材２２は把持筒１の係合部１ｂに対して所定角度回動可能となっている。
【００２１】
図２の（Ｂ）に示されるように、操作部材２の係合突起２ｃは、係止部材２２の係合凹部２２ｄと係合している。このため、操作部材２を回動させると、操作部材２と連動して、係止部材２２も回動するようになっている。
【００２２】
固定枠部材１６の上方には、高さ調節部材１７が配設されている。高さ調節部材１７は、枠状部材１１の上端に取り付けられた連結部材１８に螺合している。このため、高さ調節部材１７を回転させることにより、高さ調節部材１７と固定枠部材１６との離間寸法が変化するようになっている。図２や図７に示されるように、高さ調節部材１７と固定枠部材１６の上端との間には、コイルスプリング２１が配設されている。このコイルスプリング２１により、枠状部材１１が固定枠部材１６に対して、上方に付勢されている。図２に示されるように、把持筒１が回転印本体１０に対して下側にスライドした状態では、把持筒１の取付部１ｂの上面１ｋが、高さ調節部材１７を下方に押圧し、回転印本体１０が下側に移動するので、無端印字ベルト１５の印字ブロック１５ａが、固定印１９の窓穴１９ａから突出するようになっている。この状態では、高さ調節部材１７の操作部１７ａが、把持筒１の操作穴１ｊから突出している。操作部材２を上方に引き上げると、操作部材２が把持筒１の取付部１ｂから外れる。高さ調節部材１７の操作部１７ａを掴んで、高さ調節部材１７を回転させることにより、無端印字ベルト１５の印字ブロック１５ａの固定印１９の窓穴１９ａからの突出量を調整することができるようになっている。
【００２３】
キャップ３は、有底筒形状である。キャップ３の底部には、インキ吸蔵体３ａが取り付けられている。キャップ３を回転印本体１０に被覆させると、図２に示されるように、固定印１９及び無端印字ベルト１５の印字ブロック１５ａが、インキ吸蔵体３ａに当接し、固定印１９及び印字ブロック１５ａにインキが供給されるようになっている。このため、押印時に印字面を朱肉やスタンプ台に押し当てる必要がない。
【００２４】
図７に示されるように、操作部材２を回動させると、係止部材２２の支持脚２２ｂの下端に形成された係止部２２ｃの位置と、固定枠部材１６の上面１６ｄに形成された通過溝穴１６ｃの位置が一致する。この状態で、把持筒１を固定枠部材１６に対して下側にスライドさせると、係止部材２２の支持脚２２ｂの下端に形成された係止部２２ｃが、固定枠部材１６の上面１６ｄに形成された通過溝穴１６ｃを通過する。この状態で、操作部材２を元に戻す方向に回動させると、図２や図３に示されるように、係止部材２２の脚部２２ｂは、固定枠部材１６の上面１６ｄに形成された係止溝穴１６ｂに侵入する。係止部材２２の脚部２２ｂが、係止溝穴１６ｂに侵入している状態では、係止部材２２の係止部２２ｃは、係止溝穴１６ｂを通過することができないので、係止部材２２の固定枠部材１６に対する上方への動きが阻止されることにより、把持筒１の固定枠部材１６に対する上方へのスライド動が阻止され、把持筒１が回転印本体１０及び固定枠部材１６を被套した状態で係止されてロックされる。このため、高さ調節部材１７が把持筒１の取付部１ｂの上面１ｋで下方に押圧されている状態が維持されることにより、枠状部材１１が下側に移動し、無端印字ベルト１５の印字ブロック１５ａが固定印１９の窓穴１９ａから突出した状態が維持され、印字ブロック１５ａに形成された印字を押印することが可能となる。また、不用意に把持筒１が回転印本体１０に対して上方にスライドすることがなく、回転子１２が把持筒１で遮蔽されている状態が維持されるので、回転印５０を押印する際に、回転子１２の操作円盤１２ａに触れることがないことから、不用意に無端印字ベルト１５に形成された印字ブロック１５ａが切り替わることがないようになっている。
【００２５】
一方で、図２に示される状態から、操作部材２を回動させると、係止部材２２の係止部２２ｃが固定枠部材１６の上面１６ｄに形成された通過溝穴１６ｃを通過できる状態になり、把持筒１と固定枠部材１６とのロック状態が解除され、把持筒１を固定枠部材１６に対して上方にスライドさせることができる。把持筒１を固定枠部材１６に対して上方にスライドさせると、複数の回転子１２の操作円盤１２ａが露出する。この状態では、把持筒１の取付部１ｂの上面１ｋによる、高さ調節部材１７の下方への押圧が解除され、コイルスプリング２１の付勢力により、回転印本体１０が固定枠部材１６に対して上方に持ち上がる。すると、図７に示されるように、固定印１９の窓穴１９ａから突出している無端印字ベルト１５の下端の印字ブロック１５ａが、固定印１９の窓穴１９ａから上方に退避するので、無端印字ベルト１５が回転可能な状態となる。ユーザーは露出した操作円盤１２ａを回転させることにより、無端印字ベルト１５の印字ブロック１５ａを切り替えることができる。
【００２６】
以上詳細に説明したように本発明では、固定枠部材１６に形成された通過溝穴１６ｃは通過することができるが、固定枠部材１６に形成された係止溝穴１６ｂは通過することができない係止部２２ｃを有する係止部材２２を設けたので、把持筒１の断面形状を非円形にしても、把持筒１を回転印本体１０に被套させた状態でロックさせることが可能となった。
【００２７】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う回転印もまた技術的範囲に包含されるものとして理解されなければならない。       
【符号の説明】
【００２８】
１      把持筒
１ａ    把持部
１ｂ    取付部
１ｃ    侵入溝
１ｄ    回動溝
１ｅ    係止突起
１ｆ    嵌合溝
１ｇ    係合凹部
１ｈ    連通溝穴
１ｉ    通過溝穴
１ｊ    操作穴
１ｋ    上面
２      操作部材
２ａ    係合凹部
２ｂ    係合片
２ｃ    係合突起
３      キャップ
３ａ    インキ吸蔵体
１０    回転印本体
１１    枠状部材
１２    回転子
１２ａ  操作円盤
１２ｂ  係合筒
１３    橋架片
１４    軸部材
１５    無端印字ベルト
１５ａ  印字ブロック
１６    固定枠部材
１６ａ  係合突起
１６ｂ  係止溝穴
１６ｃ  通過溝穴
１６ｄ  上面
１６ｅ  連通穴
１７    高さ調節部材
１７ａ  操作部
１８    連結部材
１９    固定印
１９ａ  窓穴
２０    固定印支持部材
２０ａ  固定印支持部
２０ｂ  窓穴
２１    コイルスプリング
２２    係止部材
２２ａ  基部
２２ｂ  脚部
２２ｃ  係止部
２２ｄ  係合凹部
５０    回転印
【図１】
2010234602.tif 000003
【図２】
2010234602.tif 000004
【図３】
2010234602.tif 000005
【図４】
2010234602.tif 000006
【図５】
2010234602.tif 000007
【図６】
2010234602.tif 000008
【図７】
2010234602.tif 000009